(57)【要約】【課題】押しボタンの傾斜を抑制する。【解決手段】押しボタン２０には、ハンドル本体３０を所定位置まで回動させたときに、壁部４２の端部４２Ａに当接して、所定位置を超えたハンドル本体３０の回動を規制するとともに、押下状態とされたときに壁部４２よりも径方向内側に位置して、所定位置を超えたハンドル本体３０の回動を許容する規制部２０Ｂが設けられる。ロック機構は、ハンドル本体３０が所定位置を超えた回動位置にあるときに、壁部４２との間に規制部２０Ｂを挟んで径方向内側から規制部２０Ｂを支持する支持部材４３を備える。【選択図】図３
2018135731.tif 000002
【特許請求の範囲】
【請求項１】
水栓本体から突出する回動可能な回動軸を有する軸部材に取り付けられ、前記回動軸と一体に回動可能な筒状のハンドル本体と、前記ハンドル本体が所定位置を越えて回動されることを規制するロック機構とを備えるハンドルであって、
前記ロック機構は、前記ハンドル本体と一体に回動するとともに前記ハンドル本体の外側から径方向内側に向かって押し下げ可能に構成された押しボタンと、
前記押しボタンを径方向外側に向かって付勢する付勢部材と、
前記回動軸に対して一体回動不能な状態で前記水栓本体に取り付けられ、前記ハンドル本体の回動方向に沿って設けられた円弧状の壁部を有する非回動部材とを備え、
前記押しボタンには、前記ハンドル本体を前記所定位置まで回動させたときに、前記壁部の端部に当接して、前記所定位置を超えた前記ハンドル本体の回動を規制するとともに、押下状態とされたときに前記壁部よりも径方向内側に位置して、前記所定位置を超えた前記ハンドル本体の回動を許容する規制部が設けられ、
前記ロック機構は、前記ハンドル本体が前記所定位置を超えた回動位置にあるときに、前記壁部との間に前記規制部を挟んで径方向内側から前記規制部を支持する支持部材を備えることを特徴とするハンドル。
【請求項２】
前記非回動部材と前記支持部材は、一体に構成されている請求項１に記載のハンドル。
【請求項３】
水栓本体から突出する回動可能な回動軸と、前記水栓本体から突出するとともに前記回動軸に対して一体回動不能な状態で前記回動軸の回動方向に沿って設けられた円弧状の壁部とを有する軸部材に取り付けられ、前記回動軸と一体に回動可能な筒状のハンドル本体と、前記ハンドル本体が所定位置を越えて回動されることを規制するロック機構とを備えるハンドルであって、
前記ロック機構は、前記ハンドル本体と一体に回動するとともに前記ハンドル本体の外側から径方向内側に向かって押し下げ可能に構成された押しボタンと、
前記押しボタンを径方向外側に向かって付勢する付勢部材とを備え、
前記押しボタンには、前記ハンドル本体を前記所定位置まで回動させたときに、前記壁部の端部に当接して、前記所定位置を超えた前記ハンドル本体の回動を規制するとともに、押下状態とされたときに前記壁部よりも径方向内側に位置して、前記所定位置を超えた前記ハンドル本体の回動を許容する規制部が設けられ、
前記ロック機構は、前記ハンドル本体が前記所定位置を超えた回動位置にあるときに、前記壁部との間に前記規制部を挟んで径方向内側から前記規制部を支持する支持部材を備えることを特徴とするハンドル。
【請求項４】
前記規制部には、前記ハンドル本体の径方向における外側と内側の少なくとも一方側に屈曲する屈曲部が設けられ、前記壁部及び前記支持部材の少なくとも一方には、前記屈曲部が挿入される凹部が形成されている請求項１〜３のいずれか一項に記載のハンドル。
【請求項５】
前記壁部の内周側には、前記規制部が当接することによって、前記ハンドル本体の回動を停止させる停止部が設けられ、前記支持部材は、少なくとも前記停止部に当接した前記規制部を径方向内側から支持する位置に設けられている請求項１〜４のいずれか一項に記載のハンドル。
【請求項６】
請求項１〜５のいずれか一項に記載されたハンドルと、前記水栓本体とを備えた水栓。
【発明の詳細な説明】
【技術分野】
【０００１】
本発明は、水栓本体に回動可能に取り付けられるハンドル及び該ハンドルを備えた水栓に関する。
【背景技術】
【０００２】
サーモスタット付水栓の温調構造として、特定温度よりも高温側へのハンドルの回動を規制するロック機構を備える温調構造が知られている。例えば、特許文献１に開示される温調構造においては、上記ロック機構として、図９（ａ）に示すように、水栓本体側に取り付けられたストップリング８０に、一端に当たり面８１Ａを有するガイドリング部８１が形成されている。ストップリング８０に対し回動操作可能な温調ハンドルに、上記当たり面８１Ａに当接して温調ハンドルの高温側への回動を一時停止させる押しボタン８３が設けられている。
【０００３】
使用者が所定温度よりも高温の湯を望む場合には、押しボタン８３を押圧して、押しボタン８３の当接片部８３Ａをガイドリング部８１の内周側に移動させる。そして、当接片部８３Ａをガイドリング部８１の内周面に沿って移動可能にすることで温調ハンドルのさらなる高温側への回動を許容している。当接片部８３Ａがガイドリング部８１の高温当たり面８２に当接することにより、温調ハンドルの回動の上限が規定されている。
【先行技術文献】
【特許文献】
【０００４】
【特許文献１】特開平８−３０２７７２号公報
【発明の概要】
【発明が解決しようとする課題】
【０００５】
ところで、特許文献１等の温調構造には、押しボタン８３を外側へ付勢する付勢部材８４が設けられる場合がある。この場合、図９（ｂ）に矢印で示すように、当接片部８３Ａがガイドリング部８１の内周面に沿った状態では、押しボタン８３に対する付勢部材８４からの付勢力Ｆによって、押しボタン８３が傾斜しやすくなるという問題があった。押しボタン８３が傾斜すると、例えば、温調ハンドルを回動させ難くなるおそれや、高温当たり面８２に当接した際に、当接片部８３Ａが高温当たり面８２を乗り越え易くなるおそれがある。本発明はこうした事情に鑑みてなされたものであり、その目的は、押しボタンの傾斜を抑制したハンドルを提供することにある。
【課題を解決するための手段】
【０００６】
上記課題を解決するためのハンドルは、水栓本体から突出する回動可能な回動軸を有する軸部材に取り付けられ、前記回動軸と一体に回動可能な筒状のハンドル本体と、前記ハンドル本体が所定位置を越えて回動されることを規制するロック機構とを備えるハンドルであって、前記ロック機構は、前記ハンドル本体と一体に回動するとともに前記ハンドル本体の外側から径方向内側に向かって押し下げ可能に構成された押しボタンと、前記押しボタンを径方向外側に向かって付勢する付勢部材と、前記回動軸に対して一体回動不能な状態で前記水栓本体に取り付けられ、前記ハンドル本体の回動方向に沿って設けられた円弧状の壁部を有する非回動部材とを備え、前記押しボタンには、前記ハンドル本体を前記所定位置まで回動させたときに、前記壁部の端部に当接して、前記所定位置を超えた前記ハンドル本体の回動を規制するとともに、押下状態とされたときに前記壁部よりも径方向内側に位置して、前記所定位置を超えた前記ハンドル本体の回動を許容する規制部が設けられ、前記ロック機構は、前記ハンドル本体が前記所定位置を超えた回動位置にあるときに、前記壁部との間に前記規制部を挟んで径方向内側から前記規制部を支持する支持部材を備えることを要旨とする。
【０００７】
この構成によれば、ハンドル本体が所定位置を超えた回動位置にあるときに、支持部材が、壁部との間に押しボタンの規制部を挟んで径方向内側から規制部を支持することにより、押しボタンの傾斜を抑制することができる。
【０００８】
上記ハンドルについて、前記非回動部材と前記支持部材は、一体に構成されていることが好ましい。この構成によれば、部品点数を減らすことができるため、ハンドルを水栓本体に容易に組み付けることができる。
【０００９】
上記課題を解決するためのハンドルは、水栓本体から突出する回動可能な回動軸と、前記水栓本体から突出するとともに前記回動軸に対して一体回動不能な状態で前記回動軸の回動方向に沿って設けられた円弧状の壁部とを有する軸部材に取り付けられ、前記回動軸と一体に回動可能な筒状のハンドル本体と、前記ハンドル本体が所定位置を越えて回動されることを規制するロック機構とを備えるハンドルであって、前記ロック機構は、前記ハンドル本体と一体に回動するとともに前記ハンドル本体の外側から径方向内側に向かって押し下げ可能に構成された押しボタンと、前記押しボタンを径方向外側に向かって付勢する付勢部材とを備え、前記押しボタンには、前記ハンドル本体を前記所定位置まで回動させたときに、前記壁部の端部に当接して、前記所定位置を超えた前記ハンドル本体の回動を規制するとともに、押下状態とされたときに前記壁部よりも径方向内側に位置して、前記所定位置を超えた前記ハンドル本体の回動を許容する規制部が設けられ、前記ロック機構は、前記ハンドル本体が前記所定位置を超えた回動位置にあるときに、前記壁部との間に前記規制部を挟んで径方向内側から前記規制部を支持する支持部材を備えることを要旨とする。
【００１０】
この構成によれば、ハンドル本体が所定位置を超えた回動位置にあるときに、支持部材が、壁部との間に押しボタンの規制部を挟んで径方向内側から規制部を支持することにより、押しボタンの傾斜を抑制することができる。
【００１１】
上記ハンドルについて、前記規制部には、前記ハンドル本体の径方向における外側と内側の少なくとも一方側に屈曲する屈曲部が設けられ、前記壁部及び前記支持部材の少なくとも一方には、前記屈曲部が挿入される凹部が形成されていることが好ましい。この構成によれば、屈曲部が凹部に挿入されることにより、規制部と壁部の接触面積や、規制部と支持部材の接触面積を大きくすることができるため、押しボタンの傾斜を好適に抑制することができる。
【００１２】
上記ハンドルについて、前記壁部の内周側には、前記規制部が当接することによって、前記ハンドル本体の回動を停止させる停止部が設けられ、前記支持部材は、少なくとも前記停止部に当接した前記規制部を径方向内側から支持する位置に設けられていることが好ましい。この構成によれば、停止部に当接した規制部の傾斜を支持部材によって抑制することができるため、規制部が停止部を乗り越えることを抑制することができる。
【００１３】
上記ハンドルについて、前記水栓本体を備えた水栓であることが好ましい。この構成によれば、上記ハンドルの機能を奏する水栓とすることができる。
【発明の効果】
【００１４】
本発明によれば、押しボタンの傾斜を抑制することができる。
【図面の簡単な説明】
【００１５】
【図１】本実施形態の水栓の斜視図。
【図２】温調ハンドルの分解斜視図。
【図３】温調ハンドルの別の分解斜視図。
【図４】（ａ）は押しボタンと非回動部材の斜視図、（ｂ）は押しボタンの規制部が第１壁部の端部に当接した状態の斜視図、（ｃ）は（ｂ）の位置から押しボタンが押し下げられた状態の斜視図、（ｄ）は（ｃ）の位置から押しボタンが高温側に移動した状態の斜視図。
【図５】（ａ）は変更例の押しボタンの断面図、（ｂ）は別の変更例の押しボタンの断面図。
【図６】変更例の温調ハンドルの分解斜視図。
【図７】別の変更例の温調ハンドルの分解斜視図。
【図８】さらに別の変更例の温調ハンドルの分解斜視図。
【図９】（ａ）は従来技術の押しボタンとストップリングの斜視図、（ｂ）は押しボタンの当接片部がガイドリング部の内側に移動した状態の斜視図。
【発明を実施するための形態】
【００１６】
以下、本発明の一実施形態を説明する。
図１に示すように、水栓１０は、浴室の壁面１１に設置されている。水栓１０は、壁面１１側に向かって、中央に位置する水栓本体１２を備えている。水栓本体１２の左側には、温調ハンドル１３が回動可能に取り付けられるとともに、水栓本体１２の右側には、切換ハンドル１４が回動可能に取り付けられている。また、水栓本体１２の奥側には、壁面１１に固定される湯用配管１５と水用配管１６が取り付けられている。
【００１７】
水栓本体１２は、手前側にカラン吐水用の第１吐出口１７と、奥側にシャワーホース１８に接続されたシャワー吐水用の第２吐出口（図示せず）とを有する。水栓１０は、温調ハンドル１３を回動させることにより、第１吐出口１７や第２吐出口から吐出される混合水の温度を調節可能に構成されている。温調ハンドル１３は、所定の温度（例えば、４３℃）に対応する位置を超えて高温側に回動されることを規制するロック機構を有し、温調ハンドル１３の外面には、このロック機構によるロック状態を解除する押しボタン２０が露出している。また、水栓１０は、切換ハンドル１４を回動させることにより、カラン吐水とシャワー吐水の切り換えや、吐止水の切り換えを行うことが可能に構成されている。
【００１８】
以下、温調ハンドル１３について具体的に説明する。
図２、３に示すように、温調ハンドル１３は、水栓本体１２から突出する軸部材６０に取り付けられる。軸部材６０は、水栓本体１２に対する回動が規制された軸部である固定軸６１と、固定軸６１の中心側に設けられ、水栓本体１２に対して回動可能な軸部である回動軸６２とを有する。回動軸６２を回動させることによって混合水の温度を調節可能に構成されている。
【００１９】
温調ハンドル１３は、軸部材６０の回動軸６２と一体に回動可能な筒状のハンドル本体３０と、軸部材６０の固定軸６１に取り付けられ、回動軸６２と一体回動不能な非回動部材４０とを備える。また、温調ハンドル１３は、ハンドル本体３０を軸部材６０に固定する固定部材５０を備える。
【００２０】
次に、温調ハンドル１３の各部材について説明する。
図２、３に示すように、ハンドル本体３０は、筒状の周壁３１と、周壁３１の一端側（水栓本体の反対側）を閉塞する底壁３２とを有し、周壁３１の他端側（水栓本体側）は開放されている。底壁３２には固定部材５０が挿通される挿通孔３３が設けられている。この挿通孔３３は、軸方向に延びる内周壁３３Ａを有し、内周壁３３Ａの他端側（水栓本体側）には、全周に亘って軸方向に延びる溝状の凹凸３３Ｂが形成されている。この凹凸３３Ｂは、後述の、温調ハンドル１３の組付構成において、軸部材６０の回動軸６２に形成された溝状の凹凸６２Ａと嵌合する嵌合部として機能する。
【００２１】
ハンドル本体３０には、ハンドル本体３０と一体に回動するとともにハンドル本体３０の外側から径方向内側に向かって押し下げ可能に構成された押しボタン２０と、押しボタン２０を径方向外側に向かって付勢する付勢部材２１が取り付けられている。ハンドル本体３０の周壁３１には、押しボタン２０を露出させる孔部３４が設けられ、押しボタン２０は周壁３１の内周側から孔部３４に挿通されている。押しボタン２０は、孔部３４に挿通される本体部２０Ａと、本体部２０Ａから他端側（水栓本体側）に突出する規制部２０Ｂを有する。また、内周壁３３Ａの外周における、孔部３４に対向する位置には、壁部３５が設けられ、この壁部３５と押しボタン２０の本体部２０Ａとの間に付勢部材２１が取り付けられている。付勢部材２１としては特に限定されず、コイルバネや板バネを用いることができる。
【００２２】
非回動部材４０は、水栓本体１２の軸部材６０の固定軸６１が挿通される貫通孔４１を有する環状の部材である。貫通孔４１の直径は、固定軸６１の外径と略等しく構成される。貫通孔４１の内周には、全周に亘って軸方向に延びる溝状の凹凸４１Ａが形成されている。この凹凸４１Ａは、１箇所だけ他の凹凸とは形状が異なるように構成されている。非回動部材４０の一端側の端面における貫通孔４１の外周側には、ハンドル本体３０の回動方向に沿った円弧状の第１壁部４２と、第１壁部４２の内周側に間隔をおいて、第１壁部４２の同心円に沿った円環状の第２壁部４３とが設けられている。また、非回動部材４０の一端側の端面には、第１壁部４２と第２壁部４３とを繋ぐ第３壁部４４が設けられている。
【００２３】
第１壁部４２と第２壁部４３の間には、ハンドル本体３０の回動方向に沿って所定の空間Ｓが形成されている。この空間Ｓは、後述のロック機構において、ハンドル本体３０が所定位置を越えて回動した際に、押しボタン２０の規制部２０Ｂが移動する通路として機能する。そのため、この空間Ｓは、押しボタン２０の規制部２０Ｂの厚さよりも若干大きく構成されて、規制部２０Ｂがスムーズに移動できるように構成されている。そして、第２壁部４３は、第１壁部４２との間に押しボタン２０の規制部２０Ｂを挟んで径方向内側から押しボタン２０の規制部２０Ｂを支持する支持部材として機能する。
【００２４】
また、非回動部材４０には、水栓本体１２に設けられた爪部１９と係合する係合孔４５が設けられている。
固定部材５０は、棒状の本体部５１と、本体部５１の一端側に設けられた鍔部５２と、本体部５１の他端側に設けられた係合部５３とを有する。
【００２５】
次に、温調ハンドル１３の組付構成について説明する。
まず、非回動部材４０の貫通孔４１に、水栓本体１２の軸部材６０の固定軸６１を挿通させる。固定軸６１には、非回動部材４０の貫通孔４１の内周に形成された凹凸４１Ａに対応する凹凸６１Ａが設けられているため、１箇所だけ形状の異なる凹凸を基準にして、非回動部材４０は固定軸６１に嵌合した状態で取り付けられる。この状態で、非回動部材４０は、水栓本体１２に対する回動が規制される。そして、水栓本体１２の爪部１９と、非回動部材４０の係合孔４５とを係合させることにより、非回動部材４０は水栓本体１２に固定される。次に、回動軸６２に、押しボタン２０及び付勢部材２１が取り付けられたハンドル本体３０を取り付ける。この際、軸部材６０の回動軸６２に設けられた溝状の凹凸６２Ａが、ハンドル本体３０の挿通孔３３の内周壁３３Ａに設けられた溝状の凹凸３３Ｂに嵌合する。これにより、ハンドル本体３０は回動軸６２と一体に回動可能となる。そして、ハンドル本体３０の底壁３２の挿通孔３３に固定部材５０を挿通させる。固定部材５０の本体部５１が挿通孔３３に挿通された状態で、固定部材５０の鍔部５２が底壁３２の挿通孔３３に嵌合する。そして、固定部材５０の係合部５３が軸部材６０の回動軸６２から突出した先端部分６２Ｂに係合することにより、ハンドル本体３０は、軸部材６０から簡単に外れることのない状態で水栓本体１２に取り付けられる。
【００２６】
次に、温調ハンドル１３のロック機構について説明する。
本実施形態においては、押しボタン２０、付勢部材２１及び非回動部材４０がロック機構を構成する。
【００２７】
図４（ａ）、（ｂ）に示すように、水栓本体１２に温調ハンドル１３が取り付けられた状態において、第１壁部４２の端部４２Ａに押しボタン２０の規制部２０Ｂが当接することにより、所定温度よりも高温側への温調ハンドル１３の回動が規制される。
【００２８】
図４（ｃ）に示すように、温調ハンドル１３の回動が規制された状態を解除する際は、押しボタン２０を押下状態とする。これに伴い、矢印で示すように、押しボタン２０の規制部２０Ｂの位置が第１壁部４２の端部４２Ａよりも径方向内側に変位する。これにより、図４（ｄ）に矢印で示すように、第１壁部４２と第２壁部４３との間の空間Ｓ内を規制部２０Ｂが移動することで、温調ハンドル１３を所定温度よりも高温側に回動させることが可能になる。
【００２９】
そして、所定温度よりも高温側に回動した温調ハンドル１３は、押しボタン２０の規制部２０Ｂが第３壁部４４に当接することにより、それ以上の回動が規制される。したがって、第３壁部４４は、所定位置を越えて回動するハンドル本体３０の回動を停止させる停止部として機能する。
【００３０】
次に、本実施形態の作用について説明する。
図４（ｄ）に示すように、温調ハンドル１３を所定温度よりも高温側に回動させた際、押しボタン２０の規制部２０Ｂは、第１壁部４２と第２壁部４３との間に設けられた空間Ｓを移動する。すなわち、押しボタン２０の規制部２０Ｂは、第１壁部４２と第２壁部４３によって、径方向外側及び径方向内側の両側から支持された状態で第１壁部４２と第２壁部４３の間を移動することになる。これにより、押しボタン２０に対する付勢部材２１からの付勢力によって、規制部２０Ｂ側が径方向内側に向かう方向に押しボタン２０が傾斜しようとしても、規制部２０Ｂが第２壁部４３に支持されることによって押しボタン２０の傾斜が抑制される。
【００３１】
次に、本実施形態の効果について説明する。
（１）ハンドル本体３０が所定位置を超えた回動位置にあるときに、第１壁部４２との間に押しボタン２０の規制部２０Ｂを挟んで径方向内側から規制部２０Ｂを支持する第２壁部４３を備えることにより、押しボタン２０の傾斜を抑制することができる。
【００３２】
（２）非回動部材４０と第２壁部４３が一体に構成されている。したがって、部品点数を減らすことができるため、温調ハンドル１３を水栓本体１２に容易に組み付けることができる。
【００３３】
（３）第１壁部４２の内周側には、規制部２０Ｂが当接することによってハンドル本体３０の回動を停止させる第３壁部４４が設けられている。第２壁部４３は、環状に形成されており、第３壁部４４に当接した押しボタン２０の規制部２０Ｂを径方向内側から支持する位置にも第２壁部４３が配置されている。したがって、第３壁部４４に当接した規制部２０Ｂの傾斜を第２壁部４３によって抑制することができるため、規制部２０Ｂが第３壁部４４を乗り越えることを抑制することができる。
【００３４】
また、規制部２０Ｂが第３壁部４４を乗り越えることが抑制されているため、規制部２０Ｂが第３壁部４４を乗り越えることによってハンドル本体３０が過剰に回動されることを抑制することができる。
【００３５】
本実施形態は、次のように変更して実施することも可能である。また、上記実施形態の構成や以下の変更例に示す構成を適宜組み合わせて実施することも可能である。
・図５（ａ）に示すように、規制部２０Ｂには、ハンドル本体３０の径方向内側に屈曲する屈曲部２０Ｃが設けられ、第２壁部４３には、屈曲部２０Ｃが挿入される凹部４３Ａが形成されていてもよい。また、図５（ｂ）に示すように、規制部２０Ｂには、ハンドル本体３０の径方向外側に屈曲する屈曲部２０Ｃが設けられ、第１壁部４２には、屈曲部２０Ｃが挿入される凹部４２Ｂが形成されていてもよい。さらに、屈曲部２０Ｃは、規制部２０Ｂにおけるハンドル本体３０の径方向内側と外側の両方に設けられ、第１壁部４２と第２壁部４３の両方に屈曲部２０Ｃが挿入される凹部４２Ｂ、４３Ａが形成されていてもよい。屈曲部２０Ｃが凹部４２Ｂ、４３Ａに挿入されることにより、規制部２０Ｂと第１壁部４２の接触面積や、規制部２０Ｂと第２壁部４３の接触面積を大きくすることができるため、押しボタン２０の傾斜を好適に抑制することができる。
【００３６】
・本実施形態では、第３壁部４４は、第１壁部４２と第２壁部４３を繋ぐように設けられていたが、この態様に限定されない。第３壁部４４は、第１壁部４２と第２壁部４３の一方のみに繋がっていてもよいし、両方に繋がらず、独立して設けられていてもよい。
【００３７】
・非回動部材４０における第２壁部４３は、円環状に構成されていなくてもよい。例えば、図６に示すように、第１壁部４２の内周側のみに、第２壁部４３が円弧状に設けられた構成であってもよい。また、非回動部材４０が取り付けられる箇所は固定軸６１に限定されない。回動軸６２に対して一体回動不能な状態であれば、固定軸６１以外の水栓本体１２に取り付けられていてもよい。固定軸６１以外の水栓本体１２としては、例えば、水栓本体１２のカバー１２Ａが挙げられる。
【００３８】
・非回動部材４０における第１壁部４２と第２壁部４３が別体で構成されていてもよい。例えば、図７に示すように、第１壁部４２を有する非回動部材７０と、第２壁部４３を有する環状部材７１とを用いて、両部材を軸部材６０の固定軸６１に取り付けてもよい。
【００３９】
・本実施形態では、非回動部材４０は、水栓本体１２から突出する回動可能な回動軸６２を有する軸部材６０に取り付けられていたが、非回動部材４０を用いることなく構成されたものであってもよい。例えば、図８に示すように、水栓本体１２から突出する回動可能な回動軸６２と、水栓本体１２から突出するとともに回動軸６２に対して一体回動不能な状態で回動軸６２の回動方向に沿って設けられた円弧状の第１壁部４２とを有する軸部材６０を用い、この軸部材６０に第２壁部４３を有する環状部材７１を取り付けてもよい。すなわち、固定軸６１と第１壁部４２が一体に設けられて、固定軸６１が第１壁部４２を有する構成になっており、第２壁部４３を有する環状部材７１を、別途固定軸６１に取り付ける構成であってもよい。この場合、温調ハンドル１３は、押しボタン２０及び付勢部材２１が取り付けられたハンドル本体３０と、環状部材７１と、固定部材５０とを備えた構成となる。そして、温調ハンドル１３のロック機構は、押しボタン２０と、付勢部材２１と、第２壁部４３とによって構成されたものとなる。また、固定軸６１と第１壁部４２が一体に設けられた構成に代えて、水栓本体１２のカバー１２Ａと第１壁部４２が一体に設けられた構成であってもよい。
【００４０】
・本実施形態では、押しボタン２０と付勢部材２１は別部材で構成されていたが、一体に構成されたものであってもよい。例えば、押しボタン２０が弾性部材によって形成され、押しボタン２０が押し下げられた際に、壁部３５に対する押しボタン２０自身の反発力によって径方向外側に付勢するようにしてもよい。この場合、押しボタン２０が付勢部材を有する構成となる。
【００４１】
・温調ハンドル１３は、固定部材５０を備えていない構成であってもよい。
・温調ハンドル１３における押しボタン２０に関する構成を切換ハンドル１４に適用してもよい。切換ハンドル１４に設けられる押しボタンとしては、例えば、第１吐出口１７と第２吐出口の切り換えを行う押しボタンや、吐止水の切り換えを行う押しボタンが挙げられる。
【符号の説明】
【００４２】
１２…水栓本体、１３…温調ハンドル、２０…押しボタン、２０Ｂ…規制部、２１…付勢部材、３０…ハンドル本体、４０…非回動部材、４２…第１壁部（円弧状の壁部）、４２Ａ…端部、４３…第２壁部（支持部材）、６０…軸部材、６２…回動軸。
【図１】
2018135731.tif 000003
【図２】
2018135731.tif 000004
【図３】
2018135731.tif 000005
【図４】
2018135731.tif 000006
【図５】
2018135731.tif 000007
【図６】
2018135731.tif 000008
【図７】
2018135731.tif 000009
【図８】
2018135731.tif 000010
【図９】
2018135731.tif 000011